(57)【特許請求の範囲】
【請求項１】
多段部分進入円弧蒸気タービンを改造する方法であって、
蒸気タービンを提供するステップを含み、該蒸気タービンは、
複数のブレード列を支持する内側ハウジングと、
該内側ハウジングを包囲する外側ハウジングと、
前記複数のブレード列の上流端部における第１のブレード列と、
第１の進入円弧と、
該第１の進入円弧に接続された第１の入口ラインと、
複数の第２の進入円弧であって、前記第１の進入円弧とともに、前記第１のブレード列への主進入部を形成している、方法において、
前記第１のブレード列の下流において前記内側ハウジングに少なくとも１つの入口ベルトを形成するステップと、
前記第１の入口ラインと、前記外側ハウジング内に完全に含まれた少なくとも１つの入口ベルトとを接続するダクトを形成するステップと、
前記ダクトと前記第１の進入円弧との間において前記第１の入口ラインを前記第１の進入円弧から隔離するステップと、を含み、
前記ダクトと、前記入口ベルトとは、蒸気が前記第１の入口ラインを通過しかつ前記蒸気タービンの前記第１のブレード列をバイパスすることを可能にするように構成および配置されており、前記第１の入口ラインへの前記ダクトの接続は、前記第１の入口ラインを通流する全ての蒸気が前記ダクトを通過するようになっていることを特徴とする、多段部分進入円弧蒸気タービンを改造する方法。
【請求項２】
前記ダクトは、前記内側ハウジングと前記外側ハウジングとの間に完全に含まれている、請求項１記載の方法。
【請求項３】
前記ダクトは、全体が前記内側ハウジングによって形成されている、請求項１または２に記載の方法。
【請求項４】
前記複数の第２の進入円弧による全周進入円弧を可能にするための前記複数の第２の進入円弧の再構成をさらに含む、請求項１乃至３のいずれかに記載の方法。
【請求項５】
前記複数の第２の進入円弧は、３つの進入円弧から成る、請求項４記載の方法。
【請求項６】
前記複数の第２の進入円弧による全周進入円弧を可能にするための前記複数の第２の進入円弧の再構成をさらに含む、請求項２記載の方法。
【請求項７】
前記複数の第２の進入円弧は、３つの進入円弧から成る、請求項６記載の方法。
【請求項８】
前記複数の第２の進入円弧による全周進入円弧を可能にするための前記複数の第２の進入円弧の再構成をさらに含む、請求項３記載の方法。
【請求項９】
前記複数の第２の進入円弧は、３つの進入円弧から成る、請求項８記載の方法。
【発明の詳細な説明】
【技術分野】
【０００１】
本開示は、概して、蒸気タービンを改造する方法、特に、部分進入円弧蒸気タービンの改造に関する。
【背景技術】
【０００２】
背景情報
小型および中型のタービンは発電のために広く使用されている。これらの機械の小さな入口体積流量は、これらの機械が最小限の入口流れ面積しか必要としないことを意味する。その結果、これらの機械は、通常、短いブレード高さと、小さなゲージング角度とを備えて構成されている。この構成は、大きな効率低下を生じ得る。この問題を解決するための公知のアプローチは、いわゆる部分進入円弧構成において蒸気を２つ以上の円弧を通じて進入させることであり、この構成では、各円弧を通る流れは、別個の制御弁によって制御される。部分進入は、このようなタービンの第１の（制御）段において、時には後続のグループの段のためにも広く使用されている。概して、第１の部分段および下流の段の効率は、合計進入レベル、進入円弧の数および接線方向の位置、および第１の段と下流の段との間の混合チャンバのジオメトリを含む、多くのパラメータに依存する。上述のパラメータの適切な組合せは、タービン性能の改良につながり得る。
【０００３】
特に広い作動範囲および高い効率を有することが要求される蒸気タービンのために、変圧制御と接続されてもよい部分進入円弧の組合せは、完全な解決を提供し得ない。新たな設備の場合、解決手段は、例えば米国特許出願番号４４０３４７６Ａに記載されたバイパス過負荷弁をさらに有することである。この配列は、供給制御弁が完全に開かれたときに蒸気タービンの上流ブレード列の周囲の蒸気の部分を制御可能にバイパスさせることによって、蒸気タービンの飲み込み能力を高めることを可能にする。
【０００４】
既存の部分円弧流入蒸気タービンは、過負荷配列から利益を得ることができるかもしれないが、配列の改造は複雑かつ高コストである。
【発明の概要】
【課題を解決するための手段】
【０００５】
過負荷配列を備える部分進入円弧蒸気タービンを改造する改造方法が提供される。
【０００６】
この改造方法は、独立請求項の主体によってこの問題を解決することを試みる。有利な実施の形態は、従属請求項に提供されている。
【０００７】
１つの一般的な態様は、多段部分進入円弧蒸気タービンを改造する方法を含む。これは、まず複数のブレード列を支持する内側ハウジングと、内側ハウジングを包囲する外側ハウジングと、１つのブレード列と、第１の入口ラインに接続された第１の進入円弧と、それぞれが第２の入口ラインに接続された複数の第２の進入円弧とを有する蒸気タービンを提供することを含む。第１の進入円弧と、複数の第２の進入円弧とは、一緒に主流入部を形成するように、複数のブレード列の上流に配置されている。この方法は、さらに、少なくとも１つのブレード列の下流において内側ハウジングに少なくとも１つの入口ベルトを形成し、第１の入口ラインと入口ベルトとの間に延びるダクトを形成することも含む。さらに第１の進入円弧を第１の入口ラインから隔離することによって、この配列は、第１の入口ラインを通る流れが第１のブレード列をバイパスすることを可能にする。
【０００８】
別の態様は、以下の特徴のうちの１つまたは複数を含んでもよい。内側ハウジングと外側ハウジングとの間にダクトを完全に含む。第２の進入円弧を通る全周進入円弧を可能にするために、複数の第２の進入円弧を再構成する。複数の第２の進入円弧は、３つの進入円弧から成る。
【０００９】
別の一般的な態様は、複数のブレードを支持する内側ハウジングと、ブレード列と、内側ハウジングを包囲する外側ハウジングと、第１の入口ラインに接続された第１の進入円弧と、第２の進入円弧とを有し、第１の進入円弧と第２の進入円弧とが一緒にブレード列への主進入部を形成している蒸気タービンを含む、多段部分進入円弧蒸気タービンを含む。蒸気タービンは、第１のブレード列の下流において内側ハウジングに少なくとも１つの入口ベルトを形成し、かつ第１の入口ラインと各入口ベルトとを接続するダクトを形成することも含む。ダクトおよび入口ベルトは、蒸気が第１の入口ラインを通過しかつ少なくとも第１のブレード列をバイパスすることを可能にするように適応されており、その一方で、第１の入口ラインと各入口ベルトとの接続は、第１の入口ラインを通流する全ての蒸気がダクトを通流するようになっている。
【００１０】
本開示のその他の態様および利点は、例として本発明の典型的な実施の形態を示している添付の図面に関連した以下の説明から明らかになるであろう。
【００１１】
例として、本開示の実施の形態が以下で添付の図面に関連してさらに完全に説明される。
【図面の簡単な説明】
【００１２】
【図１】典型的な実施の形態が適用されてもよい従来の蒸気タービンの断面図である。
【図２】典型的な実施の形態が適用された、図１の蒸気タービンの内側ケーシングおよびブレード列の断面図である。
【図３】進入円弧を示す、図１の蒸気タービンの１つの典型的な実施の形態の端部断面図である。
【発明を実施するための形態】
【００１３】
詳細な説明
本開示の典型的な実施の形態がここで図面に関連して説明され、全図を通じて同じ要素を示すために同じ参照符号が使用されている。以下の記載において、説明のために、開示の十分な理解を提供するために多数の特定の詳細が示されている。しかしながら、本開示は、これらの特定の詳細なしに実施されてもよく、本明細書に開示された典型的な実施の形態に限定されない。
【００１４】
図１は、従来の多段部分進入円弧蒸気タービン１０を示している。蒸気タービン１０は、第１のブレード列１８を含む複数のブレード列を支持する内側ハウジング１２と、内側ハウジングを包囲する外側ハウジング１４とを有する。蒸気は、複数の供給ライン２４，２６を通じてタービンに進入する。各供給ライン２４，２６は、進入円弧２０に接続されている。進入円弧２０は、第１のブレード列１８に供給し、集合的に主流入部を形成している。
【００１５】
典型的な実施の形態では、図１の蒸気タービンは、蒸気タービンの中間段において、内側ハウジング１２に少なくとも１つの入口ベルト３０を形成することによって変更されている。これに関して、入口ベルト３０は、蒸気タービンを少なくとも部分的に包囲する溝またはダクトを意味する。その目的は、中間段を含む蒸気タービンのあらゆる箇所における蒸気タービンへの蒸気の周方向進入を可能にすることである。ダクト３２は、次いで、供給入口ライン２４のうちの１つを入口ベルト３０に接続するように形成されており、これにより、蒸気タービンの上流端部に配置された第１のブレード列１８のうちの少なくとも１つの周囲に蒸気バイパスを形成している。バイパスは、さらに、入口ライン２４に接続された部分円弧を入口ライン２４から隔離することによって達成される。これにより、変更前には進入円弧２０に接続されていた入口ライン２４は、今やダクト３２のみに接続され、これにより、入口ライン２４を通流する全ての蒸気がダクト３２を通過する。図２および図３に示したように、ダクト３２は、その他の進入円弧に接続されたままの他の入口ライン２６には接続されていない。
【００１６】
図示されていない典型的な実施の形態では、２つ以上のダクト３２が、２つ以上の入口ベルト３０に接続されていてもよい。
【００１７】
典型的な実施の形態では、入口ライン２４から切り離された進入円弧は、いずれの供給入口ライン２６にも接続されていない空白の進入円弧である。
【００１８】
典型的な実施の形態では、入口ライン２４のうちの１つをダクト３２に接続した後、残りの入口ライン２６のうちの少なくとも１つが、第１の入口ライン２４に形式的に接続されている進入円弧に接続され、これにより、残りの入口ライン２６を通じた全周進入円弧を可能にする。
【００１９】
図３に示されている典型的な実施の形態では、変更された蒸気タービンは、変更前の４つの進入円弧２０から減じられた、３つの進入円弧２０を有する。その他の図示されていない典型的な実施の形態では、６つの進入円弧２０を有する蒸気タービン１０に変更が加えられ、その結果、ダクト３２に接続された１つの入口ライン２４と、５つの進入円弧とを備える蒸気タービン１０を生じる。
【００２０】
典型的な実施の形態では、ダクト３２は、外側ハウジング１４の変更なしに内側ハウジング１２内に含まれている。
【００２１】
開示は、最も実用的な典型的な実施の形態であると考えられるものにおいて本明細書に示されかつ説明されているが、本開示は、その他の詳細で具体化することができる。したがって、ここで開示された実施の形態は、全ての側面において、例示的であり、制限されるものでないと考えられる。開示の範囲は、前記説明ではなく、添付の請求項によって示されており、その意味、範囲および均等物に当てはまる全ての変更は、それに包含されることが意図されている。
【符号の説明】
【００２２】
１０  蒸気タービン
１２  内側ハウジング
１４  外側ハウジング
１６  ブレード列
１８  第１のブレード列
２０  進入円弧
２４，２６  入口ライン
３０  入口ベルト
３２  ダクト
【図１】
0006673559.tif 000002
【図２】
0006673559.tif 000003
【図３】
0006673559.tif 000004